【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
基地局装置が複数セルを割り当て、前記基地局装置と前記複数セルを介して通信を行なう移動局装置であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対応する全ての送信ＨＡＲＱバッファのデータを消去し、
前記第二のグループの送信タイミングタイマーが満了した場合、前記第二のグループのセルに対応する送信ＨＡＲＱバッファのデータを消去することを特徴とする移動局装置。
【請求項２】
請求項１記載の移動局装置であって、
前記第一のグループの送信タイミングタイマーが満了した場合、前記複数のセルに割り当てられている上りリンク制御チャネルと測定用参照信号の無線リソースとを解放し、
前記第二のグループの送信タイミングタイマーが満了した場合、前記第二のグループのセルに割り当てられている測定用参照信号の無線リソースを解放することを特徴とする移動局装置。
【請求項３】
請求項１または請求項２記載の移動局装置であって、
前記第一のグループの送信タイミングタイマーが停止している場合、前記プライマリーセルに対するランダムアクセスプリアンブル送信を除き、全ての前記複数セルの上りリンク送信を行わず、
前記第二のグループの送信タイミングタイマーが停止している場合、前記第二のグループのセルに対するランダムアクセスプリアンブル送信を除き、前記第二のグループのセルの上りリンク送信を行わないことを特徴とする移動局装置。
【請求項４】
請求項１から請求項３のいずれか１項に記載の移動局装置であって、
前記第一のグループの送信タイミングタイマーが満了した場合、全ての上りリンク共用チャネル及び下りリンク共用チャネルの割り当て情報を破棄し、
前記第二のグループの送信タイミングタイマーが満了した場合、前記第二のグループのセルに割り当てられている上りリンク共用チャネルの割り当て情報を破棄することを特徴とする移動局装置。
【請求項５】
移動局装置が複数セルを割り当てられ、前記移動局装置と前記セルを介して通信を行なう基地局装置であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対する上りリンク共用チャネルの割り当て処理を停止し、
前記第二のグループの送信タイミングタイマーが満了した場合、前記第二のグループのセルに対する上りリンク共用チャネルの割り当て処理を停止することを特徴とする基地局装置。
【請求項６】
請求項５記載の基地局装置であって、
前記第一のグループの送信タイミングタイマーが満了した場合、前記移動局装置に割り当てた前記複数のセルに対応する受信ＨＡＲＱバッファの全データを消去し、
前記第二のグループの送信タイミングタイマーが満了した場合、前記第二のグループのセルに対応する受信ＨＡＲＱバッファのデータを消去することを特徴とする基地局装置。
【請求項７】
請求項５または請求項６記載の基地局装置であって、
前記第一のグループの送信タイミングタイマーが満了した場合、前記移動局装置の前記複数のセルに割り当てた上りリンク制御チャネルと測定用参照信号の無線リソースとを解放し、
前記第二のグループの送信タイミングタイマーが満了した場合、前記移動局装置の前記第二のグループのセルに割り当てた測定用参照信号の無線リソースを解放することを特徴とする基地局装置。
【請求項８】
基地局装置が複数セルを割り当て、前記基地局装置と前記セルを介して通信を行なう無線通信システムであって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、
前記基地局装置は、前記複数のセルに対する上りリンク共用チャネルの割り当て処理を停止し、前記移動局装置は、前記複数のセルに対応する全ての送信ＨＡＲＱバッファのデータを消去し、
前記第二のグループの送信タイミングタイマーが満了した場合、
前記基地局装置は、前記第二のグループのセルに対する上りリンク共用チャネルの割り当て処理を停止し、前記移動局装置は、前記第二のグループのセルに対応する送信ＨＡＲＱバッファのデータを消去することを特徴とする無線通信システム。
【請求項９】
基地局装置が複数セルを割り当て、前記基地局装置と前記セルを介して通信を行なう移動局装置の制御方法であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対応する全ての送信ＨＡＲＱバッファのデータを消去し、
前記第二のグループの送信タイミングタイマーが満了した場合、前記第二のグループのセルに対応する送信ＨＡＲＱバッファのデータを消去することを特徴とする制御方法。
【請求項１０】
移動局装置が複数セルを割り当てられ、前記移動局装置と前記セルを介して通信を行なう基地局装置の制御方法であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対する上りリンク共用チャネルの割り当て処理を停止し、
前記第二のグループの送信タイミングタイマーが満了した場合、前記第二のグループのセルに対する上りリンク共用チャネルの割り当て処理を停止することを特徴とする制御方法。
【請求項１１】
基地局装置が複数セルを割り当て、前記基地局装置と前記セルを介して通信を行なう移動局装置に適用される集積回路であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対応する全ての送信ＨＡＲＱバッファのデータを消去する機能と、
前記第二のグループの送信タイミングタイマーが満了した場合、前記第二のグループのセルに対応する送信ＨＡＲＱバッファのデータを消去する機能と、を有することを特徴とする集積回路。
【請求項１２】
移動局装置が複数セルを割り当てられ、前記移動局装置と前記セルを介して通信を行なう基地局装置に適用される集積回路であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に送信タイミングタイマーを用いて前記上りリンク送信タイミングは管理され、
前記第一のグループの送信タイミングタイマーが満了した場合、前記複数のセルに対する上りリンク共用チャネルの割り当て処理を停止する機能と、
前記第二のグループの送信タイミングタイマーが満了した場合、前記第二のグループのセルに対する上りリンク共用チャネルの割り当て処理を停止する機能と、を有することを特徴とする集積回路。
【手続補正２】
【補正対象書類名】明細書
【補正対象項目名】００１１
【補正方法】変更
【補正の内容】
【００１１】
（１）上記の目的を達成するために、本発明は、以下のような手段を講じた。すなわち、本発明の移動局装置は、基地局装置が複数セルを割り当て、前記基地局装置と前記複数セルを介して通信を行なう移動局装置であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対応する全ての送信ＨＡＲＱバッファのデータを消去し、前記第二のグループの送信タイミングタイマーが満了した場合、前記第二のグループのセルに対応する送信ＨＡＲＱバッファのデータを消去することを特徴とする。
【手続補正３】
【補正対象書類名】明細書
【補正対象項目名】００１２
【補正方法】変更
【補正の内容】
【００１２】
（２）また、本発明の移動局装置は、前記第一のグループの送信タイミングタイマーが満了した場合、前記複数のセルに割り当てられている上りリンク制御チャネルと測定用参照信号の無線リソースとを解放し、前記第二のグループの送信タイミングタイマーが満了した場合、前記第二のグループのセルに割り当てられている測定用参照信号の無線リソースを解放することを特徴とする。
【手続補正４】
【補正対象書類名】明細書
【補正対象項目名】００１３
【補正方法】変更
【補正の内容】
【００１３】
（３）また、本発明の移動局装置は、前記第一のグループの送信タイミングタイマーが停止している場合、前記プライマリーセルに対するランダムアクセスプリアンブル送信を除き、全ての前記複数セルの上りリンク送信を行わず、前記第二のグループの送信タイミングタイマーが停止している場合、前記第二のグループのセルに対するランダムアクセスプリアンブル送信を除き、前記第二のグループのセルの上りリンク送信を行わないことを特徴とする。
【手続補正５】
【補正対象書類名】明細書
【補正対象項目名】００１４
【補正方法】変更
【補正の内容】
【００１４】
（４）また、本発明の移動局装置は、前記第一のグループの送信タイミングタイマーが満了した場合、全ての上りリンク共用チャネル及び下りリンク共用チャネルの割り当て情報を破棄し、前記第二のグループの送信タイミングタイマーが満了した場合、前記第二のグループのセルに割り当てられている上りリンク共用チャネルの割り当て情報を破棄することを特徴とする。
【手続補正６】
【補正対象書類名】明細書
【補正対象項目名】００１５
【補正方法】変更
【補正の内容】
【００１５】
（５）また、本発明の基地局装置は、移動局装置が複数セルを割り当てられ、前記移動局装置と前記セルを介して通信を行なう基地局装置であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対する上りリンク共用チャネルの割り当て処理を停止し、前記第二のグループの送信タイミングタイマーが満了した場合、前記第二のグループのセルに対する上りリンク共用チャネルの割り当て処理を停止することを特徴とする。
【手続補正７】
【補正対象書類名】明細書
【補正対象項目名】００１７
【補正方法】変更
【補正の内容】
【００１７】
（７）また、本発明の基地局装置は、前記第一のグループの送信タイミングタイマーが満了した場合、前記移動局装置の前記複数のセルに割り当てた上りリンク制御チャネルと測定用参照信号の無線リソースとを解放し、前記第二のグループの送信タイミングタイマーが満了した場合、前記移動局装置の前記第二のグループのセルに割り当てた測定用参照信号の無線リソースを解放することを特徴とする。
【手続補正８】
【補正対象書類名】明細書
【補正対象項目名】００１８
【補正方法】変更
【補正の内容】
【００１８】
（８）また、本発明の無線通信システムは、基地局装置が複数セルを割り当て、前記基地局装置と前記セルを介して通信を行なう無線通信システムであって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記基地局装置は、前記複数のセルに対する上りリンク共用チャネルの割り当て処理を停止し、前記移動局装置は、前記複数のセルに対応する全ての送信ＨＡＲＱバッファのデータを消去し、前記第二のグループの送信タイミングタイマーが満了した場合、前記基地局装置は、前記第二のグループのセルに対する上りリンク共用チャネルの割り当て処理を停止し、前記移動局装置は、前記第二のグループのセルに対応する送信ＨＡＲＱバッファのデータを消去することを特徴とする。
【手続補正９】
【補正対象書類名】明細書
【補正対象項目名】００１９
【補正方法】変更
【補正の内容】
【００１９】
（９）また、本発明の制御方法は、基地局装置が複数セルを割り当て、前記基地局装置と前記セルを介して通信を行なう移動局装置の制御方法であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対応する全ての送信ＨＡＲＱバッファのデータを消去し、前記第二のグループの送信タイミングタイマーが満了した場合、前記第二のグループのセルに対応する送信ＨＡＲＱバッファのデータを消去することを特徴とする。
【手続補正１０】
【補正対象書類名】明細書
【補正対象項目名】００２０
【補正方法】変更
【補正の内容】
【００２０】
（１０）また、本発明の制御方法は、移動局装置が複数セルを割り当てられ、前記移動局装置と前記セルを介して通信を行なう基地局装置の制御方法であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対する上りリンク共用チャネルの割り当て処理を停止し、前記第二のグループの送信タイミングタイマーが満了した場合、前記第二のグループのセルに対する上りリンク共用チャネルの割り当て処理を停止することを特徴とする。
【手続補正１１】
【補正対象書類名】明細書
【補正対象項目名】００２１
【補正方法】変更
【補正の内容】
【００２１】
（１１）また、本発明の集積回路は、基地局装置が複数セルを割り当て、前記基地局装置と前記セルを介して通信を行なう移動局装置に適用される集積回路であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対応する全ての送信ＨＡＲＱバッファのデータを消去する機能と、前記第二のグループの送信タイミングタイマーが満了した場合、前記第二のグループのセルに対応する送信ＨＡＲＱバッファのデータを消去する機能と、を有することを特徴とする。
【手続補正１２】
【補正対象書類名】明細書
【補正対象項目名】００２２
【補正方法】変更
【補正の内容】
【００２２】
（１２）また、本発明の集積回路は、移動局装置が複数セルを割り当てられ、前記移動局装置と前記セルを介して通信を行なう基地局装置に適用される集積回路であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に送信タイミングタイマーを用いて前記上りリンク送信タイミングは管理され、前記第一のグループの送信タイミングタイマーが満了した場合、前記複数のセルに対する上りリンク共用チャネルの割り当て処理を停止する機能と、前記第二のグループの送信タイミングタイマーが満了した場合、前記第二のグループのセルに対する上りリンク共用チャネルの割り当て処理を停止する機能と、を有することを特徴とする。